(57)【要約】  【課題】  簡単な構造で、軸孔とシャフトの摩擦を抑制する抑制することができ、フォーカシングを行うときに、不要共振の発生を抑制し、光ヘッドでの光ディスクのデータの読出し及び（又は）光ディスクへのデータの書込み精度を上げるとともに、信頼性を向上させる。  【解決手段】  筒状部２１２を取り囲むように配置されるフォーカシングコイル２１４と、フォーカシングコイル２１４の上面に配置される上側磁性板２１６と、下面に配置される下側磁性板２１７とを有し、上側磁性板２１６と下側磁性板２１７は永久磁石２２４とシャフト２２３にて形成される磁界から互いに反対方向にずれて配置される。【選択図】      図５
2006331527.tif 000002
【特許請求の範囲】
【請求項１】
光ディスクにレーザ光を照射することでデータの読出し又は書込みを行う光ヘッドであ
って、
底部と、前記底部の端部より該底部に対して垂直に突出する立ち上がり部と、前記底部
の略中央に前記立ち上がり部と同じ方向に突出する円柱状のシャフトと、前記立ち上がり
部に前記シャフトを挟んで配置され前記シャフトとの間に磁界を形成する一対の永久磁石
とを有するケースと、
対物レンズを保持するレンズ保持部と、前記レンズ保持部の略中央より突出するコイル
保持部と、前記コイル保持部の略中央より突出する筒状部と、前記レンズ保持部、前記コ
イル保持部及び筒状部を貫通するとともに前記シャフトの外形よりも大きな内径を有し、
該シャフトに回動可能且つ摺動可能に外嵌する軸孔と、前記コイル保持部に外嵌して接着
固定されるフォーカシングコイルと、前記フォーカシングコイルの上及び下に配置される
一対の磁性板とを有するレンズホルダと、
前記ケース及び前記レンズホルダに取り付けられ、前記フォーカシングコイルに電力を
供給する配線基板とを有しており、
前記磁性板は前記レンズホルダが前記ケースに取り付けられたとき、前記一対の永久磁
石にて挟まれる領域から、該永久磁石が形成する磁界に直交し且つ前記底部と平行な向き
にずれた位置に配置されるものであり、前記フォーカシングコイルの上側に配置される磁
性板と下側に配置される磁性板はそれぞれ逆方向にずれて配置されることを特徴とする光
ヘッド。
【請求項２】
光ディスクにレーザ光を照射することでデータの読出し又は書込みを行う光ヘッドであ
って、
底部と、前記底部の端部より該底部に対して垂直に突出する立ち上がり部と、前記底部
の略中央に前記立ち上がり部と同じ方向に突出する円柱状のシャフトと、前記立ち上がり
部に前記シャフトを挟んで配置され前記シャフトとの間に磁界を形成する一対の永久磁石
とを有するケースと、
対物レンズを保持するレンズ保持部と、前記レンズ保持部の略中央より突出するコイル
保持部と、前記コイル保持部の略中央より突出する筒状部と、前記レンズ保持部、前記コ
イル保持部及び筒状部を貫通するとともに前記シャフトの外形よりも大きな内径を有し、
該シャフトに回動可能且つ摺動可能に外嵌する軸孔と、前記コイル保持部に外嵌して接着
固定されるフォーカシングコイルと、前記フォーカシングコイルの上又は下の少なくとも
一方に配置される磁性板とを有するレンズホルダと、
前記ケース及び前記レンズホルダに取り付けられ、前記フォーカシングコイルに電力を
供給する配線基板とを有しており、
前記磁性板は、前記レンズホルダが前記ケースに取り付けられたとき、前記一対の永久
磁石にて挟まれる領域から、該永久磁石が形成する磁界に直交し且つ前記底部と平行な向
きにずれた位置に配置されていることを特徴とする光ヘッド。
【請求項３】
前記磁性板はフォーカシングコイルの上側及び下側両方に配置されるものであり、少な
くとも一方の磁性板は前記レンズホルダが前記ケースに取り付けられたとき、前記一対の
永久磁石にて挟まれる領域よりも、該永久磁石が形成する磁界に直交し且つ前記底部と平
行な向きにずれた位置に配置されることを特徴とする請求項２に記載の光ヘッド。
【請求項４】
フォーカシングコイルの上側及び下側のうち一方に配置される磁性板であって、前記レ
ンズホルダが前記ケースに取り付けられたとき、前記一対の永久磁石にて挟まれる領域よ
りも、該永久磁石が形成する磁界に直交し且つ前記底部と平行な向きにずれた位置に配置
されていることを特徴とする請求項２に記載の光ヘッド。
【請求項５】
前記磁性板はフォーカシングコイルの上側及び下側両方に配置されるものであり、少な
くとも一方の磁性板は前記シャフトが貫通しない位置に配置されることを特徴とする請求
項３に記載の光ヘッド。
【発明の詳細な説明】
【技術分野】
【０００１】
本発明は、光ディスクにレーザ光を照射することでデータの記録及び（又は）読出しを
行うことができる光ヘッドに関するものである。
【背景技術】
【０００２】
映像、音声等の情報の記録媒体としてレーザ光を照射することで情報を記録したり及び
（又は）読出したりすることができる光ディスクが利用されている。前記光ディスクとし
て、ＣＤ（Compact Disc）、ＤＶＤ（Digital Versatile Disc）等が広く用いられている
。これら光ディスクを記録媒体として該光ディスクにデータを記録する及び（又は）該光
ディスクからデータの読出す光ディスク装置は、光ディスクの記録面に対しレーザ光を照
射することでデータを記録したり、反射してきた光を検出することでデータを読出したり
する光ヘッドを備えている。
【０００３】
図２に光ヘッドの配置図を示す。図２に示す光ヘッドはそれには限定されないがここで
は、光ディスクに記録されているデータを読出す読出し専用の光ヘッドである。図２に示
すようにレーザ光源Ｌｄと、ミラーＭｒと、コリメータレンズ３と、対物レンズ４と、ビ
ームスプリッタＢｓと、受光素子Ｐｄとを有している。レーザ光源Ｌｄより照射されたレ
ーザ光はミラーＭｒで反射されてコリメータレンズ３に入射する。コリメータレンズ３に
入射したレーザ光は平行光として出射され対物レンズ４に入射する。対物レンズ４に入射
したレーザ光は光ディスクＤｓの記録面に照射される。対物レンズ４はアクチュエータ９
２に配置されている。
【０００４】
このときレーザ光は光ディスクＤｓの記録層に焦点をあわせて、且つ、光軸と光ディス
クＤｓの記録層とが垂直になるようにレーザ光を照射する。ビームスプリッタＢｓは入射
されたレーザ光の半分を透過し半分を反射するプリズムであり、光ディスクＤｓで反射し
た光を受光素子Ｐｄに導くものである。受光素子Ｐｄは光を電流に変換するものであり、
光の強さによってデータを読み取るものである。光ディスクにデータを記録することので
きる光ヘッドも基本的に同様の構成である。
【０００５】
光ディスクＤｓはディスク面のぶれ、光ディスクＤｓの偏心等によって、光ディスクＤ
ｓのディスク面が水平面に対して振動する面ぶれや、半径方向のぶれが発生する。面ぶれ
及び半径方向のブレが発生すると、対物レンズ４から照射されるレーザ光を集光した光ス
ポットの焦点が光ディスクＤｓの記録面上に合わなかったり、記録面のトラックに正確に
照射されない等の不具合が発生したりする。以上のような不具合が発生すると、光スポッ
トが正確な位置に照射されていないときは光ディスクＤｓからのデータの読出し又は光デ
ィスクＤｓへの記録が行われず、再生中の音声が途切れたり、データの読出し、記録ミス
が発生したりする。
【０００６】
そこで、対物レンズ４を光ディスクＤｓの面ぶれ量にあわせて、光スポットの焦点が光
ディスクＤｓの記録面に合うように光ディスクＤｓの記録面に対して垂直なフォーカス方
向に移動（フォーカシング）させたり、光ディスクＤｓの光スポットが記録面のトラック
に正確に照射されるように半径方向であるトラッキング方向に必要に応じて移動（トラッ
キング）させたりする。
【０００７】
図８に従来の光ヘッドのアクチュエータの一例の平面図を示す。図８に示すアクチュエ
ータ９２は、対物レンズ４と対物レンズ４を保持するレンズホルダ９３と、レンズホルダ
９３を支持するケース９４と、電力を供給する基板９５とを有している。
【０００８】
図９に図８に示すレンズホルダの側断面図を示す。レンズホルダ９３には、対物レンズ
４を保持するレンズ保持部９３１と、ケース９４に設けられた後述のシャフト９４３と摺
動及び回動可能に外嵌する軸孔９３２と、レンズホルダ９３をシャフト９４３を中心に揺
動させるためのトラッキングコイル９３４と、レンズホルダ９３をシャフト９４３に沿っ
て摺動させるためのフォーカシングコイル９３５と、中央部を軸孔９３２が貫通する磁性
板９３６が取り付けられる。
【０００９】
ケース９４は平面視矩形状の底面９４１と、底面９４１の４辺から立ち上がる立ち上が
り壁９４２と、底面９４１からケース９４の内部に向かって突出するシャフト９４３と、
シャフト９４３を挟んで立ち上がり壁９４２に正対して配置される永久磁石９４４とを有
している。シャフト９４３は磁性体で形成されている。永久磁石９４４とシャフト９４３
の間には磁界が形成されている。
【００１０】
レンズホルダ９３は軸孔９３２がケース９４のシャフト９４３と回動可能及び摺動可能
に嵌合するようにケース９４内部に配置される。フォーカシング及び（又は）トラッキン
グ動作を行うために、軸孔９３２の内径はシャフト９４３の外形よりも大きく形成されて
いる。また、永久磁石９４４とシャフト９４３の間に発生する磁界内にレンズホルダ９３
の磁性板９３６が配置される。磁性板９３６が磁界内に配置されることで、磁性板９３６
に磁気力が付与する。レンズホルダ９３は磁性板９３６に付与する磁気力によってケース
９４の底面９４１に接触せずに支持される。
【００１１】
永久磁石９４４とシャフト９４３の間に形成される磁界を横切るようにトラッキングコ
イル９３４及びフォーカシングコイル９３５が配置されている。トラッキングコイル９３
４に電流を流すことで、トラッキングコイル９３４にローレンツ力が発生する。このロー
レンツ力によって、レンズホルダ９３はシャフト９４３を中心に揺動される。また、フォ
ーカシングコイル９３５に電流を流すことで、フォーカシングコイル９３５にローレンツ
力が発生する。このローレンツ力によって、レンズホルダ９３はシャフト９４３の軸方向
に摺動する。
【００１２】
軸孔９３２の内径がシャフト９４３の外形よりも大きく形成されているので、レンズホ
ルダ９３はフォーカシング、トラッキングを行うときに軸孔９３２とシャフト９４３との
摩擦を低減することができる。しかし、安定感が低くなりやすい問題も有している。
【００１３】
そこで、特開２００４−１６４７３２号公報に記載の発明のように、シャフトが永久磁
石の中心位置よりも、わずかにずれて配置されるものが考えられている。この場合、ニッ
ケル板（本発明では磁性板）はシャフトが中心を貫通するように取り付けられるが、ニッ
ケル板はローレンツ力によって近い永久磁石のほうに吸引される。これにより、軸孔の側
周壁がシャフトに接触し、レンズホルダのがたつきを抑えることができる。また、永久磁
石の極性とニッケル板の配置場所、形状を変えることで軸孔の側周壁がシャフトに接触し
て安定するものが示されている。
【００１４】
また、特開平１０−１６２３８９号公報に記載の発明は、一対のトラッキング中点復帰
用磁性板が回転軸を中心に直径方向に対向して配置されており、トラッキング用マグネッ
トとの吸引力で傾きを強制するものが開示されている。また、同様に、中点復帰用磁性板
を一方にのみ設けて一方向にマグネットとの吸引力が作用するようにして、回転軸と貫通
孔とを接触させて安定化している。
【特許文献１】特開２００４−１６４７３２号公報
【特許文献２】特開平１０−１６２３８９号公報
【発明の開示】
【発明が解決しようとする課題】
【００１５】
しかしながら、特開２００４−１６４７３２号公報に記載の発明に記載の発明のレンズ
ホルダでフォーカシングを行う場合、フォーカス駆動が特定の周波数（例えば２ｋＨｚ〜
５ｋＨｚ）になるときに、ピッチング等の不要共振が発生する不具合があった。
【００１６】
また、レンズホルダが一方に吸引されて、該レンズホルダを安定化している場合、例え
ば、ポータブル光ディスク装置等に用いられている場合、レンズホルダの姿勢が変化し、
レンズホルダに作用する重力によって吸引力が低下し、不安定になる場合がある。
【００１７】
また、特開平１０−１６２３８９号公報に記載の発明の場合、磁石と中点復帰用磁性板
の吸引力を利用しているが、該中点復帰用磁性板が取り付けられることにより、永久磁石
にて形成される磁界が変化し、フォーカシング動作に悪影響を与えることが考えられる。
【００１８】
そこで本発明は、簡単な構造を有するレンズホルダを備えた光ヘッドであって、軸孔と
シャフトの摩擦を抑制することができ、フォーカシング動作及びトラッキング動作を円滑
に行うことができる光ヘッドを提供することを目的とする。
【００１９】
そこで本発明は、簡単な構造を有するレンズホルダを備えた光ヘッドであって、前記レ
ンズホルダがフォーカシングを行うときに、不要共振の発生を抑制し、フォーカシング動
作の精度をあげることができる光ヘッドを提供することを目的とする。
【課題を解決するための手段】
【００２０】
上記目的を達成するために本発明は、光ディスクにレーザ光を照射することでデータの
読出し又は書込みを行う光ヘッドであって、底部と、前記底部の端部より該底部に対して
垂直に突出する立ち上がり部と、前記底部の略中央に前記立ち上がり部と同じ方向に突出
する円柱状のシャフトと、前記立ち上がり部に前記シャフトを挟んで配置され前記シャフ
トとの間に磁界を形成する一対の永久磁石とを有するケースと、対物レンズを保持するレ
ンズ保持部と、前記レンズ保持部の略中央より突出するコイル保持部と、前記コイル保持
部の略中央より突出する筒状部と、前記レンズ保持部、前記コイル保持部及び筒状部を貫
通するとともに前記シャフトの外形よりも大きな内径を有し、該シャフトに回動可能且つ
摺動可能に外嵌する軸孔と、前記コイル保持部に外嵌して接着固定されるフォーカシング
コイルと、前記フォーカシングコイルの上及び下に配置される一対の磁性板とを有するレ
ンズホルダと、前記ケース及び前記レンズホルダに取り付けられ、前記フォーカシングコ
イルに電力を供給する配線基板とを有しており、前記磁性板は前記レンズホルダが前記ケ
ースに取り付けられたとき、前記一対の永久磁石にて挟まれる領域から、該永久磁石が形
成する磁界に直交し且つ前記底部と平行な向きにずれた位置に配置されるものであり、前
記フォーカシングコイルの上側に配置される磁性板と下側に配置される磁性板はそれぞれ
逆方向にずれて配置されることを特徴とする光ヘッドを提供する。
【００２１】
この構成によると、前記上側及び下側磁性板が前記底板と平行な方向にずれて配置され
ており、該磁性板には前記永久磁石にて形成される磁界の中央に戻ろうとする磁気力が作
用する。また、上側及び下側磁性板には異なる方向にずれているので、それぞれ逆方向の
力が作用する。これにより、前記レンズホルダにモーメントが作用して回転し、前記磁界
の大幅な変化を抑えつつ、前記軸孔の上側と下側の対向する部分が前記シャフトに接触し
て前記レンズホルダが傾いた状態で安定する。レンズホルダが傾いた状態で、光ディスク
の記録面に対して適切な角度、距離でレーザ光を照射し、光ディスクの記録面に最適なレ
ーザスポットが形成されるように、光ヘッドを調整する。
【００２２】
前記レンズホルダが傾いた状態で安定して配置されるので、前記レンズホルダのフォー
カシング動作のときに、対物レンズは一定の姿勢を維持したまま動作する。これにより、
レーザスポットは常に最適または略最適な状態で光ディスクの記録面に形成されており、
フォーカシングの周波数が変化しても、ピッチング等の不要共振が発生しにくく安定した
フォーカシングを行うことができる。
【００２３】
以上のことにより、光ヘッドは常に最適又は最適に近い状態で光ディスクの記録面に対
してレーザスポットを照射することができるので、該光ディスクからのデータの読出し又
は光ディスクへのデータの書込みを安定して行うことができる。前記光ディスクの回転数
が上昇しフォーカシング周波数が上昇しても不要共振が発生しにくいので該光ディスクか
らのデータの読出し又は光ディスクへのデータの書込みを高速化することができる。
【００２４】
また上記目的を達成するために本発明は、光ディスクにレーザ光を照射することでデー
タの読出し又は書込みを行う光ヘッドであって、底部と、前記底部の端部より該底部に対
して垂直に突出する立ち上がり部と、前記底部の略中央に前記立ち上がり部と同じ方向に
突出する円柱状のシャフトと、前記立ち上がり部に前記シャフトを挟んで配置され前記シ
ャフトとの間に磁界を形成する一対の永久磁石とを有するケースと、対物レンズを保持す
るレンズ保持部と、前記レンズ保持部の略中央より突出するコイル保持部と、前記コイル
保持部の略中央より突出する筒状部と、前記レンズ保持部、前記コイル保持部及び筒状部
を貫通するとともに前記シャフトの外形よりも大きな内径を有し、該シャフトに回動可能
且つ摺動可能に外嵌する軸孔と、前記コイル保持部に外嵌して接着固定されるフォーカシ
ングコイルと、前記フォーカシングコイルの上又は下の少なくとも一方に配置される磁性
板とを有するレンズホルダと、前記ケース及び前記レンズホルダに取り付けられ、前記フ
ォーカシングコイルに電力を供給する配線基板とを有しており、前記磁性板は、前記レン
ズホルダが前記ケースに取り付けられたとき、前記一対の永久磁石にて挟まれる領域から
、該永久磁石が形成する磁界に直交し且つ前記底部と平行な向きにずれた位置に配置され
ていることを特徴とする光ヘッドを提供する。
【００２５】
この構成によると、前記磁性板が前記底板と平行な方向にずれて配置されており、該磁
性板には前記永久磁石にて形成される磁界の中央に戻ろうとする磁気力が作用する。これ
により、前記レンズホルダにモーメントが作用し回転し、前記磁界の大幅な変化を抑えつ
つ、前記軸孔の上側と下側の対向する部分が前記シャフトに接触して前記レンズホルダが
傾いた状態で安定する。レンズホルダが傾いた状態で、光ディスクの記録面に対して適切
な角度、距離でレーザ光を照射し、光ディスクの記録面に最適なレーザスポットが形成さ
れるように、光ヘッドを調整する。
【００２６】
前記レンズホルダが傾いた状態で安定して配置されるので、前記レンズホルダのフォー
カシング動作のときに、対物レンズは一定の姿勢を維持したまま動作する。これにより、
レーザスポットは常に最適または略最適な状態で光ディスクの記録面に形成されており、
フォーカシングの周波数が変化しても、ピッチング等の不要共振が発生しにくく安定した
フォーカシングを行うことができる。
【００２７】
以上のことにより、光ヘッドは常に最適又は最適に近い状態で光ディスクの記録面に対
してレーザスポットを照射することができるので、該光ディスクからのデータの読出し又
は光ディスクへのデータの書込みを安定して行うことができる。前記光ディスクの回転数
が上昇しフォーカシング周波数が上昇しても不要共振が発生しにくいので該光ディスクか
らのデータの読出し又は光ディスクへのデータの書込みを高速化することができる。
【００２８】
上記構成において前記磁性板がフォーカシングコイルの上側及び下側両方に配置される
ものであり、少なくとも一方の磁性板は前記レンズホルダが前記ケースに取り付けられた
とき、前記一対の永久磁石にて挟まれる領域よりも、該永久磁石が形成する磁界に直交し
且つ前記底部と平行な向きにずれた位置に配置されることを特徴とする請求項２に記載の
光ヘッド。
【００２９】
上記構成において前記磁性板がフォーカシングコイルの上側及び下側のうち一方に配置
され、前記レンズホルダが前記ケースに取り付けられたとき、前記一対の永久磁石にて挟
まれる領域よりも、該永久磁石が形成する磁界に直交し且つ前記底部と平行な向きにずれ
た位置に配置されていてもよい。
【００３０】
上記構成において前記磁性板はフォーカシングコイルの上側及び下側両方に配置される
ものであり、少なくとも一方の磁性板は前記シャフトが貫通しない位置に配置されていて
もよい。
【発明の効果】
【００３１】
本発明によると、簡単な構造を有するレンズホルダを備えた光ヘッドであって、軸孔と
シャフトの摩擦を抑制する抑制することができ、フォーカシング動作及びトラッキング動
作を円滑に行うことができる。
【００３２】
また本発明によると、簡単な構造を有するレンズホルダを備えた光ヘッドであって、前
記レンズホルダがフォーカシングを行うときに、不要共振の発生を抑制し、フォーカシン
グ動作の精度をあげることができる。
【００３３】
このことにより、光ヘッドでの光ディスクのデータの読出し及び（又は）光ディスクへ
のデータの書込み精度を上げることができ、光ディスク装置の円滑な動作及び信頼性を向
上させることができる。
【発明を実施するための最良の形態】
【００３４】
以下に本発明の実施形態を図面を参照して説明する。図１に本発明にかかる光ヘッドを
備える光ディスク装置の配置図を示す。図１に示す光ディスク装置は、それには限定され
ないがここではＤＶＤプレーヤである。図１に示すＤＶＤプレーヤＰＬは、光ディスク（
ＤＶＤ記録媒体）Ｄｓを回転させるスピンドルモータＳｐと、光ディスクＤｓに光を照射
し情報を読出す光ヘッドＡと、光ヘッドＡで検出された信号を復号化するデコーダＤｃと
、外部の表示装置であるモニタＭｎに接続するための外部接続部Ｏｃと、制御部Ｃｏｎｔ
とを備えている。
【００３５】
ＤＶＤプレーヤＰＬは制御部Ｃｏｎｔによって制御されており、使用者よりＤＶＤを再
生する命令がなされると、まず、スピンドルモータＳｐを駆動し光ディスクＤｓを回転さ
せる。光ヘッドＡより回動している光ディスクＤｓにレーザ光を照射し、その反射光を光
ヘッドＡで検出する。光ヘッドＡに備えられた後述の受光素子Ｐｄは検出した光を電気信
号に変換するものであり、電気信号はデコーダＤｃに送られ映像用の信号に復調され、外
部接続部Ｏｃを介してモニタＭｎに送られ、モニタＭｎに映像を表示する。
【００３６】
図２に光ヘッドの一例の配置図を示す。図２に示す光ヘッドＡは、従来と実質上同一の
構造を有している。すなわち、レーザ光源Ｌｄと、ミラーＭｒと、コリメータレンズ３と
、対物レンズ４と、ビームスプリッタＢｓと、受光素子Ｐｄとを有している。レーザ光源
Ｌｄより照射されたレーザ光はミラーＭｒで反射され、コリメータレンズ３に入射し、平
行光に変化してコリメータレンズ３より出射する。コリメータレンズ３より出射したレー
ザ光は対物レンズ４に入射し対物レンズ４より光ディスクＤｓに照射される。
【００３７】
このときレーザ光は光ディスクＤｓの記録層に焦点をあわせて、且つ、光軸と光ディス
クＤｓの記録層とが垂直になるようにレーザ光を照射する。ビームスプリッタＢｓは入射
されたレーザ光の半分を透過し半分を反射するプリズムであり、光ディスクＤｓで反射し
た光を受光素子Ｐｄに導くものである。受光素子Ｐｄは光を電流に変換するものであり、
光の強さによってデータを読み取るものである。上述の各部材へのレーザ光の照射順序は
これに限定されるものではなく、可能な範囲で順序が入れ替わっているものであっても良
い。
【００３８】
図３に本発明に係る光ヘッドの平面図を、図４に図３に示す光ヘッドの側面図を示す。
図３、図４に示すように光ヘッドＡはコリメータレンズ３を支持するベース１と、対物レ
ンズ４を駆動するためのアクチュエータ２とを備えている。ベース１の側面には光ヘッド
Ａのディスクトラック方向（ディスク半径方向）への動作を規制するための軸１０が摺動
可能に貫通する摺動孔１１と、摺動孔１１に隣接して形成されるラックギア１２と、ラッ
クギア１２と歯合するピニオンギア１３とを備えている。光ヘッドＡはピニオンギア１３
の回動をラックギア１２に伝達することで、摺動するものである。光ヘッドＡを摺動する
ことで、光ディスクＤｓの記録面上の必要な情報が記録されている部分にレーザスポット
を速やかに照射するものである。
【００３９】
アクチュエータ２はベース１にボルト留めにて固定される。アクチュエータ２は、対物
レンズ４を保持するためのレンズホルダ２１と、内部にレンズホルダ２１を配置するケー
ス２２と、レンズホルダ２１に設けられた後述するトラッキングコイル２１３及びフォー
カシングコイル２１４にそれぞれ独立して電力を供給する配線基板２３とを有している。
【００４０】
ケース２２は平面視矩形状を有しており、底部２２１と、底部２２１の周囲から底部２
２１と垂直に立ち上がる立ち上がり部２２２と、底部２２１の略中央部に立ち上がり部２
２２と同じ方向に突出する円筒形状のシャフト２２３と、立ち上がり部２２２に配置され
、シャフト２２３を挟んで対向して配置される２個の永久磁石２２４とを有している。シ
ャフト２２３は磁性体で形成されており、永久磁石２２４とシャフト２２３の間には磁界
が形成されている。永久磁石２２４の磁界はそれには限定されないが、いずれの磁界も磁
力線の向きが永久磁石２２４からシャフト２２３に向かっている。底部２２１にはレーザ
光が通過するための貫通した光通過孔２２０が形成されている。
【００４１】
図５に図３に示す光ヘッドに用いられるレンズホルダの側面図を、図６に図５に示すレ
ンズホルダの底面図を示す。図５に示すレンズホルダ２１は、対物レンズ４を保持するた
めのレンズ保持部２１１と、レンズ保持部２１１の略中央に形成され、後述するフォーカ
シングコイル２１３が外嵌する平面視略矩形状のコイル保持部２１５と、コイル保持部２
１５の略中心部に形成されシャフト２２３と摺動可能且つ回動可能に外嵌する筒状部２１
２と、筒状部２１２と同じ中心軸を有し、筒状部２１２を貫通する軸孔２１０と、レンズ
保持部２１１の側面に筒状部２１２を挟んで対面して配置されるトラッキングコイル２１
３と、筒状部２１２を取り囲むように配置されるフォーカシングコイル２１４と、フォー
カシングコイル２１４の上面に軸孔２１０の中心軸と直交するように配置される上側磁性
板２１６と、フォーカシングコイル２１４の下面に軸孔２１０の中心軸と直交するように
配置される下側磁性板２１７とを有している。上側磁性板２１６及び下側磁性板２１７は
配置する位置が異なるが同一形状を有する。
【００４２】
ケース２２の永久磁石２２４とシャフト２２３の間には磁界が発生しており、その磁界
に上側磁性板２１６及び下側磁性板２１７が配置されることで上側磁性板２１６及び下側
磁性板２１７に磁気力が付与する。この磁気力によってレンズホルダ２１は底部２２１と
接触することなく浮上した状態で支持される。また、上側磁性板２１６は、一対の永久磁
石２２４が形成する磁界に対して図５中左側にずれた位置に配置されているので、矢印ａ
ｒ１で示す向きに磁気力が働く。同様に下側磁性板２１７は、一対の永久磁石２２４が形
成する磁界に対して図５中右側にずれた位置に配置されているので、矢印ａｒ２で示す向
きに磁気力が働く。
【００４３】
つまり、レンズホルダ２１には図５中時計回りのモーメントが作用する。軸孔２１０は
シャフト２２３を外嵌するように配置されており、軸孔２１０の内径はシャフト２２３の
外形よりも大きく形成されている。これにより、軸孔２１０の上端部と下端部のそれぞれ
対抗する部分２１０ａ、２１０ｂがシャフト２２３と接触し、レンズホルダ２１は傾き、
ケース２２と非接触状態で安定する。図５に示すレンズホルダ２１では理解を容易にする
ために傾きを大きくしてあるが、実際のレンズホルダ２１の傾きはこれとは一致せず、わ
ずかな傾きである。
【００４４】
トラッキングコイル２１３及びフォーカシングコイル２１４には配線基板２３より電力
が供給される。配線基板２３はケース２２に取り付けられるメイン基板２３１と、レンズ
ホルダ２１に取り付けられるサブ基板２３２と、メイン基板２３１とサブ基板２３２を接
続するための接続基板２３３とを有している。配線基板２３（少なくとも接続基板２３３
）はレンズホルダ２１のトラッキング動作及びフォーカシング動作によって破損しないよ
うな柔軟性を有するもの、例えばＦＦＣ（Flexible Flat Cable）、ＦＰＣ（Flexible Pr
inted Circuit）等のケーブルが採用されている。
【００４５】
トラッキングコイル２１３は導線が矩形状にまかれたコイルであり、図６に示すように
レンズホルダ２１の側面に筒状部２１２の中心軸と平行な方向に延びる導線がシャフト２
２３と永久磁石２２４の間に発生する磁界内に入るように形成されている。また、フォー
カシングコイル２１４は導線が矩形状に巻かれたコイルであり導線の側面が磁界内に入る
ように且つ筒状部２１２の中心軸を取り囲むように配置されている。
【００４６】
トラッキングコイル２１３の導線に電流が流されることで、磁界内に配置された導線に
磁束方向及び電流の流れる方向の両方に直交する方向、すなわち、筒状部２１２の周方向
にローレンツ力が発生する。筒状部２１２を挟んで配置されたトラッキングコイル２１３
で電流の流れ方向を調整し、ローレンツ力の方向を調整することで、レンズホルダ２１を
シャフト２２３を中心に回転させることができる。すなわち、電流の流れ方向を適当に変
化させることで対物レンズ４をシャフト２２３を中心に揺動させることができる。この揺
動によって、対物レンズ４の焦点位置を光ディスクＤｓの記録面にそって動かし正しい位
置にレーザスポットを照射するトラッキング動作を行うことができる。
【００４７】
フォーカシングコイル２１４も同様に磁界内に配置された導線に電流が流されることで
、導線に磁束方向及び電流の流れる方向の両方に直交する方向、すなわち、筒状部２１２
の軸方向にローレンツ力が発生する。ローレンツ力によってレンズホルダ２１はシャフト
２２３の軸方向に摺動する。電流の向きを適当に変化させることで、レンズホルダ２１を
シャフト２２３の軸方向に往復摺動させることができ、光ディスクＤｓの記録面に焦点を
合わせるためのフォーカシング動作を行うことができる。
【００４８】
このとき、シャフト２２３と軸孔２１０の上端部２１０ａと下端部２１０ｂとが接触し
てレンズホルダ２１は傾いているが、シャフト２２３と軸孔２１０（２１０ａ、２１０ｂ
）との摩擦が少ないので円滑なトラッキング動作、フォーカシング動作を行うことができ
る。
【００４９】
また常にモーメントが作用しているのでフォーカシング動作の周波数が特定の周波数に
達したときでもピッチング等の異常動作による、不要共振が発生するのを抑制することが
でき、それだけ、安定したフォーカシング動作を行うことができる。このことにより、光
ヘッドでの光ディスクのデータの読出し及び（又は）光ディスクへのデータの書込み精度
を上げることができ、光ディスク装置の円滑な動作及び信頼性を向上させることができる
。
【００５０】
図７に本発明にかかる光ヘッドに用いられるレンズホルダの他の例の側面図を示す。図
７に示すレンズホルダ２１は上側磁性板２１６の形状が異なる以外は図５に示すレンズホ
ルダと同一の形状を有している。
【００５１】
図７に示すレンズホルダ２１の上側磁性板２１６は筒状部２１２が重心を貫通している
形成されている。すなわち、上側磁性板２１６の中央を筒状部２１２が貫通しており、永
久磁石２２４及びシャフト２２３が形成する磁界の中央に配置される。また、下側磁性板
２１７は図７中右側に延びる形状を有しており、下側磁性板２１２は磁界の中心からずれ
て配置されている。下側磁性板２１２には矢線ａｒ３に示すように図中左側に磁気力が付
勢される。これにより、レンズホルダ２１には時計回りのモーメントが作用し、レンズホ
ルダ２１が傾いて静止する。
【００５２】
上記各実施例では、レンズホルダに時計回りのモーメントが作用するものが例示されて
いるがそれに限定されるものではなく、反時計回りのモーメントが作用するものであって
もよい。また、上記各実施例では２個の磁性板をフォーカシングコイルを挟むように配置
しているものを例に説明しているがどちらか一方だけでもよい。磁性板で十分な磁気力を
得ることができ、ケースとレンズホルダとの非接触状態を保持することができるものの場
合、前記筒状部及び軸孔が磁性板を貫通しないものとしてもよい。
【００５３】
上記実施例では光ディスク装置としてＤＶＤプレーヤを例に説明しているが、それに限
定されるものではなく、光ディスクにレーザ光を照射して情報を読み出したり、記録可能
な光ディスクに情報を記録したりする光ディスク装置を挙げることができる。
【産業上の利用可能性】
【００５４】
本発明の光ヘッドは、ＤＶＤ、ＣＤ、ＬＤ等の光ディスクにレーザ光を照射して情報を
読み出したり、書込み可能な光ディスクに情報を記録したりする光ディスク装置において
適用することができる。
【図面の簡単な説明】
【００５５】
【図１】本発明にかかる光ディスク装置の配置図である。
【図２】光ヘッドの一例の配置図である。
【図３】本発明に係る光ヘッドの平面図である。
【図４】図３に示す光ヘッドの側面図である。
【図５】図３に示す光ヘッドに用いられるレンズホルダの側面図である。
【図６】図５に示すレンズホルダの底面図である。
【図７】本発明にかかる光ヘッドに用いられるレンズホルダの他の例の側面図である。
【図８】従来の光ヘッドのアクチュエータの一例の平面図である。
【図９】図８に示すレンズホルダの側面図である。
【符号の説明】
【００５６】
Ｄｓ  光ディスク
Ｍｒ  ミラー
Ｂｓ  ビームスプリッタ
Ｌｄ  レーザ光源
Ｐｄ  受光部
１  ベース
２  アクチュエータ
２１  レンズホルダ
２１１  レンズ保持部
２１２  筒状部
２１３  トラッキングコイル
２１４  フォーカシングコイル
２１５  コイル保持部
２１６  上側磁性板
２１７  下側磁性板
２２  ケース
２２１  底部
２２２  立ち上がり部
２２３  シャフト
２２４  永久磁石
２３  配線基板
２３１  メイン基板
２３２  サブ基板
２３３  接続基板
３  コリメータレンズ
４  対物レンズ
【図１】
2006331527.tif 000003
【図２】
2006331527.tif 000004
【図３】
2006331527.tif 000005
【図４】
2006331527.tif 000006
【図５】
2006331527.tif 000007
【図６】
2006331527.tif 000008
【図７】
2006331527.tif 000009
【図８】
2006331527.tif 000010
【図９】
2006331527.tif 000011